(57)【要約】【課題】軸筒内のインキ吸蔵体に含浸された水性インキ、油性インキなどの筆記具用インキを筆記部となるペン先に供給する筆記具において、インキの終了サインを視覚により簡単に、かつ、確実に検知することができる筆記具を提供する。【解決手段】軸筒内のインキ吸蔵体２０に含浸されたインキを筆記部となるペン先４０に供給する筆記具Ａであって、上記インキ吸蔵体２０に含浸されたインキは中継芯２５を介して視認性を有するインキ誘導管３０へ供給されると共に、該インキ誘導管３０を介してペン先４０に供給され、かつ、インキ吸蔵体２０からのインキ終了サインを軸筒１０に形成した視認部１２を介して上記インキ誘導管３０を視認することにより検知することを特徴とする筆記具。【選択図】　図１
2004042263.tif 000002
【特許請求の範囲】
【請求項１】
軸筒内のインキ吸蔵体に含浸されたインキを筆記部となるペン先に供給する筆記具であって、上記インキ吸蔵体に含浸されたインキは中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とする筆記具。
【請求項２】
軸筒内のインキ吸蔵体に含浸されたインキを軸筒の両側に設けた筆記部となる各ペン先に供給するツインタイプの筆記具であって、何れか一方のペン先に供給されるインキは、中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とする筆記具。
【請求項３】
中継芯はインキ吸蔵体全長の５％以上の長さでインキ吸蔵体内部と接触していることを特徴とする請求項１又は２に記載の筆記具。
【請求項４】
中継芯の断面積が、インキ吸蔵体の断面積の１〜９０％であることを特徴とする請求項１〜３の何れか一つに記載の筆記具。
【請求項５】
中継芯の毛細管力がインキ吸蔵体の毛細管力より大きいことを特徴とする請求項１〜４の何れか一つに記載の筆記具。
【請求項６】
中継芯の断面構造が内層部及び外層部を有する構造からなり、外層部の毛細管力が内層部の毛細管力よりも大きいことを特徴とする請求項１〜５の何れか一つに記載の筆記具。
【請求項７】
中継芯により視認性を有するインキ誘導管に供給されたインキは、更にペン先中継芯を介してペン先に供給されることを特徴とする請求項１〜６の何れか一つに記載の筆記具。
【請求項８】
視認性を有するインキ誘導管のインキと接する面又はインキ誘導管の材質自体の表面張力がインキの表面張力よりも小さいことを特徴とする請求項１〜７の何れか一つに記載の筆記具。
【請求項９】
インキ吸蔵体の毛細管力の分布が、ペン先側へ向かうほど大きくなることを特徴とする請求項１〜８の何れか一つに記載の筆記具。
【請求項１０】
軸筒の内径がペン先側へ向かうほど狭くなる構造となることを特徴とする請求項１〜９の何れか一つに記載の筆記具。
【請求項１１】
軸筒のペン先側内側にリブ体を複数軸方向に形成されていることを特徴とする請求項１〜１０の何れか一つに記載の筆記具。
【請求項１２】
中継芯が、繊維束芯、樹脂粒子多孔体及びスライバー芯の何れか一つからなり、これらの中継芯が連続流路を持つことによりインキ誘導管の見かけ断面積を維持したまま実質的にインキ誘導管を流れるインキ流路断面積をコントロールできる請求項１〜１１の何れか一つに記載の筆記具。
【請求項１３】
インキ視認性を有するインキ誘導管の中にインキよりも表面張力が小さくインキと色の違う繊維束又は樹脂粒子多孔体が充填されていることにより、インキ誘導管の見かけ断面積を維持したまま、実質的にインキ誘導管を流れるインキ流路断面積とインキの流動抵抗をコントロールできる請求項１〜１２の何れか一つに記載の筆記具。
【請求項１４】
インキ誘導管が複数本形成されていることを特徴とする請求項１〜１３の何れか一つに記載の筆記具。
【請求項１５】
軸筒の視認部の長さが１ｍｍ以上筆記具の全長以下であることを特徴とする請求項１〜１４の何れか一つに記載の筆記具。
【請求項１６】
インキ誘導管のインキ流路断面積が８×１０−２〜８０ｍｍ２であることを特徴とする請求項１〜１５の何れか一つに記載の筆記具。
【請求項１７】
インキの表面張力が２５℃下で１８ｍＮ／ｍ以上であることを特徴とする請求項１〜１６の何れか一つに記載の筆記具。
【請求項１８】
インキの粘度係数が２５℃下で５００ｍＰａ・ｓ以下であることを特徴とする請求項１〜１７の何れか一つに記載の筆記具。
【発明の詳細な説明】
【０００１】
【発明の属する技術分野】
本発明は、軸筒の両側に筆記部となるペン先を備えると共に、軸筒内のインキ吸蔵体に含浸されたインキを夫々のペン先に供給するツインタイプの筆記具に関し、更に詳しくは、この構造の筆記具においてインキの終了サインを簡単に検知することができる筆記具に関する。
【０００２】
【従来の技術】
従来より、インキの残量・インキの終了サインを知ることができる筆記具としては、例えば、軸体内に直接液状インキを収容してなるコレクター構造を有する直液筆記具、インキがカートリッジ式のインキ収容管に収容された構造の筆記具、透明のリフィールにボールペン用インキが充填されたタイプのボールぺンなどが知られている。
【０００３】
ところで、軸筒内のインキ吸蔵体に含浸された水性インキ、油性インキなどの筆記具用インキを筆記部となるペン先に供給する筆記具、所謂中綿式の筆記具にあっては、今までインキ終了サインを検知できる機構を具備した筆記具はないのが現状である。
そのため、この構造の筆記具では、筆記中にインキがカスレるまで使用して初めてインキの終了が判り、その後、廃棄又はインキを補充することにより再使用されるものであるが、カスレはペン先の乾燥等によっても生じるため、インキ吸蔵体に含浸されたインキが十分あるにも拘わらずペン先の乾燥等によりカスレた場合等には本来のインキの終了サインではなく、使用性等に課題があるものである。
【０００４】
一方、特開平６−２７０５８５号公報などには、透明な軸筒内にインキ吸蔵体となる中綿が収納され、該中綿に含浸されたインキを筆記部となるペン先に供給されると共に、中綿からペン先まで筆記具の中身を視認することができる筆記具が開示されている。
しかしながら、この構造の筆記具にあっては、中綿に吸蔵されたインキ量が少なくなれば吸蔵されているインキ色の度合いによりある程度のインキ残量は確認することができるが、確実にインキの終了サインを検知できるものではなく、この筆記具にあっても使用性等に課題があるものである。
【０００５】
【発明が解決しようとする課題】
本発明は、上記従来技術の課題及び現状等に鑑み、これを解消しようとするものであり、軸筒内のインキ吸蔵体に含浸された水性インキ、油性インキなどの筆記具用インキを筆記部となるペン先に供給する筆記具において、インキの終了サインを簡単に、かつ、確実に検知することができる筆記具を提供することを目的とし、更に、インキ吸蔵体中のインキ消費率も向上することができる筆記具を提供することを更なる目的とする。
【０００６】
【課題を解決するための手段】
本発明者らは、上記従来技術の課題等について鋭意検討を重ねた結果、軸筒内のインキ吸蔵体に含浸されたインキを筆記部となるペン先に供給する筆記具における軸筒の構成、並びに、インキ吸蔵体からペン先にインキを供給する機構を特定の構成等とすることにより、上記目的の筆記具が得られることを見いだし、本発明を完成するに至ったのである。
【０００７】
すなわち、本発明の筆記具は、次の（１）〜（１８）に存する。
（１）　　軸筒内のインキ吸蔵体に含浸されたインキを筆記部となるペン先に供給する筆記具であって、上記インキ吸蔵体に含浸されたインキは中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とする筆記具。
（２）　軸筒内のインキ吸蔵体に含浸されたインキを軸筒の両側に設けた筆記部となる各ペン先に供給するツインタイプの筆記具であって、何れか一方のペン先に供給されるインキは、中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とする筆記具。
（３）　中継芯はインキ吸蔵体全長の５％以上の長さでインキ吸蔵体内部と接触していることを特徴とする上記（１）又は（２）に記載の筆記具。
（４）　中継芯の断面積が、インキ吸蔵体の断面積の１〜９０％であることを特徴とする上記（１）〜（３）の何れか一つに記載の筆記具。
（５）　中継芯の毛細管力がインキ吸蔵体の毛細管力より大きいことを特徴とする上記（１）〜（４）の何れか一つに記載の筆記具。
（６）　中継芯の断面構造が内層部及び外層部を有する構造からなり、外層部の毛細管力が内層部の毛細管力よりも大きいことを特徴とする上記（１）〜（５）の何れか一つに記載の筆記具。
（７）　中継芯により視認性を有するインキ誘導管に供給されたインキは、更にペン先中継芯を介してペン先に供給されることを特徴とする上記（１）〜（６）の何れか一つに記載の筆記具。
（８）　視認性を有するインキ誘導管のインキと接する面又はインキ誘導管の材質自体の表面張力がインキの表面張力よりも小さいことを特徴とする上記（１）〜（７）の何れか一つに記載の筆記具。
（９）　インキ吸蔵体の毛細管力の分布が、ペン先側へ向かうほど大きくなることを特徴とする上記（１）〜（８）の何れか一つに記載の筆記具。
（１０）　軸筒の内径がペン先側へ向かうほど狭くなる構造となることを特徴とする上記（１）〜（９）の何れか一つに記載の筆記具。
（１１）　軸筒のペン先側内側にリブ体を複数軸方向に形成されていることを特徴とする上記（１）〜（１０）の何れか一つに記載の筆記具。
（１２）　中継芯が、繊維束芯、樹脂粒子多孔体及びスライバー芯の何れか一つからなり、これらの中継芯が連続流路を持つことによりインキ誘導管の見かけ断面積を維持したまま実質的にインキ誘導管を流れるインキ流路断面積をコントロールできる上記（１）〜（１１）の何れか一つに記載の筆記具。
（１３）　インキ視認性を有するインキ誘導管の中にインキよりも表面張力が小さくインキと色の違う繊維束又は樹脂粒子多孔体が充填されていることにより、インキ誘導管の見かけ断面積を維持したまま、実質的にインキ誘導管を流れるインキ流路断面積とインキの流動抵抗をコントロールできる上記（１）〜（１２）の何れか一つに記載の筆記具。
（１４）　インキ誘導管が複数本形成されていることを特徴とする上記（１）〜（１３）の何れか一つに記載の筆記具。
（１５）　軸筒の視認部の長さが１ｍｍ以上筆記具の全長以下であることを特徴とする上記（１）〜（１４）の何れか一つに記載の筆記具。
（１６）　インキ誘導管のインキ流路断面積が８×１０−２〜８０ｍｍ２であることを特徴とする上記（１）〜（１５）の何れか一つに記載の筆記具。
（１７）　インキの表面張力が２５℃下で１８ｍＮ／ｍ以上であることを特徴とする上記（１）〜（１６）の何れか一つに記載の筆記具。
（１８）　インキの粘度係数が２５℃下で５００ｍＰａ・ｓ以下であることを特徴とする上記（１）〜（１７）の何れか一つに記載の筆記具。
【０００８】
【発明の実施の形態】
以下に、本発明の実施の形態を図面を参照しながら詳しく説明する。
本発明の筆記具は、▲１▼軸筒内のインキ吸蔵体に含浸されたインキを筆記部となるペン先に供給する筆記具であって、上記インキ吸蔵体に含浸されたインキは中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とするものであり、また、▲２▼軸筒内のインキ吸蔵体に含浸されたインキを軸筒の両側に設けた筆記部となる各ペン先に供給するツインタイプの筆記具であって、何れか一方のペン先に供給されるインキは、中継芯を介して視認性を有するインキ誘導管へ供給されると共に、該インキ誘導管を介してペン先に供給され、かつ、インキ吸蔵体からのインキ終了サインを軸筒に形成した視認部を介して上記インキ誘導管を視認することにより検知することを特徴とするものである。
【０００９】
図１〜図３は、本発明の第１実施形態を示すものであり、サインペン、マーカー、ホワイトボード用マーカー等に好適に適用することができるものである。
本第１実施形態の筆記具Ａは、図１及び図３に示すように、筆記具本体となる軸筒１０、インキ吸蔵体２０、中継芯２５、インキ誘導管３０、ペン先４０、尾栓５０とを備えている。
軸筒１０は、例えば、合成樹脂製から構成されるものであり、先端側がテーパー部を有する小径部１０ａと、大径部１０ｂとが一体となったものであり、該小径部１０ａ内にはペン先２０を嵌着する嵌着部１１を有すると共に、大径部１０ｂ内は筆記具用インキを含浸したインキ吸蔵体２０、中継芯２５、インキ誘導管３０を収容する構造となっている。
【００１０】
また、軸筒１０の大径部１０ｂの先端側は、図１及び図３に示すように、軸筒内を視認できるように透明体又は半透明体から構成された視認部１２を有し、それ以外は別部材等により非視認部となっている。
なお、軸筒１０全体を視認性を有する透明又は半透明材料から構成して、軸筒１０全体を視認できるものであってもよいものであり、また、軸筒１０全体を視認性を有する透明又は半透明材料から構成して、視認部１２以外を着色部や装飾部として非視認部としてもよいものである。
この視認部１２の全長は、該視認部１２より、軸筒１０内に保持されるインキ誘導管３０を視認できる長さであればよく、１ｍｍ以上筆記具本体（本実施形態では軸筒）の全長以下、好ましくは、５ｍｍ以上とすることが望ましい。なお、視認部１２の全長が１ｍｍ未満であると、インキ終了サインの検知を視認し難く検知機能を果たせないこととなる。
【００１１】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものであり、であり、軸筒１０の前方部を封塞する後部保持体２１と尾栓５０とにより軸筒２０内に収容されている。
【００１２】
中継芯２５は、上記インキ吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものであり、インキ吸蔵体２０に含浸されたインキを該中継芯２０を介して視認性を有するインキ誘導管３０へ供給できるものであれば、特にその形状、構造等は限定されるものでないが、例えば、図１（ａ）及び（ｂ）に示すように、中継芯２５の先端部には、インキ誘導管３０の後端部３０ａ内に挿入される挿入部２６を有し、その後端部は鋭角な形状となる鋭角部２７を有するものが挙げられる。また、インキ吸蔵体２０の先端側には、上記中継芯２５の外層部と接触できる空洞部２０ａが設けられている。この図１（ａ）及び（ｂ）に示す、挿入部２６及び鋭角部２７を有する中継芯２５及び空洞部２０ａを有するインキ吸蔵体２０の構造等により、インキ吸蔵体２０に含浸されたインキは中継芯２０を介して視認性を有するインキ誘導管３０へ更に効率よく供給できるものとなる。
更に、上記中継芯２５の毛細管力はインキ吸蔵体２０の毛細管力より大きくすること、並びに、中継芯２５の断面構造を内層部及び外層部を有する構造とし、外層部の毛細管力が内層部の毛細管力よりも大きくすること、例えば、外層部の繊維束密度を細密部とし、内層部の繊維束密度を粗密部とすることにより、インキ吸蔵体２０に含浸されたインキをインキ誘導管３０へ効率よく供給できるものとなる。
【００１３】
ここで、中継芯２５はインキ吸蔵体２０の全長（Ｌ）の５％以上、好ましくは、１０％以上１００％以下の長さでインキ吸蔵体２０内部と接触していること、すなわち、中継芯２５のインキ吸蔵体２０内部と接触する長さＬ１は、インキ吸蔵体２０の全長Ｌの５％以上、好ましくは１０％以上の長さとすることが望ましく、更に好ましくは、２０％以上１００％以下、特に好ましくは、５０％以上１００％以下の長さでインキ吸蔵体２０内部と接触していることが望ましい。これにより、インキ吸蔵体２０に含まれるインキを更にインキ誘導管３０へ効率よく供給することができるものとなる。図１（ａ）及び（ｂ）に示す中継芯２５の長さＬ１は、インキ吸蔵体２０の全長Ｌの２０％に設定されている。なお、インキ吸蔵体２０内部と接触する長さが５％未満であると、通常の中綿式の筆記具と同レベルのインキ消費率となってしまう場合がある。
更に、中継芯２５の断面積Ｗ１は、インキ吸蔵体２０の断面積Ｗの１〜９０％、好ましくは、５〜５０％、更に好ましくは、１０〜２５％とすることが望ましい。
この中継芯２５の断面積Ｗ１が１％未満であると、ペン先４０の形態にもよるが、インキ吸蔵体２０からのインキ供給量が不足し描線カスレや早書き追従性に劣るなどの問題を生じ、また、９０％を越えると、インキ吸蔵体２０中に挿入し難くなるばかりでなくインキ吸蔵体２０としての機能が小さくなり中継芯２５とした従来からある中綿式の筆記具と何等変わらないものとなる。
上記中継芯２５の断面積Ｗ１をインキ吸蔵体２０の断面積Ｗの１〜９０％に設定することにより、インキ吸蔵体２０に含まれるインキを更にインキ誘導管３０へ効率よく供給することができるものとなる。なお、図１（ａ）及び（ｂ）に示す中継芯２５の断面積Ｗ１は、インキ吸蔵体２０の断面積Ｗの６０％に設定されている。
【００１４】
インキ誘導管３０は、図１（ａ）及び（ｂ）に示すように、視認性を有する筒状（管状）のインキ流路部材となるものであり、例えば、樹脂、ゴム、または、ガラス製等の透明部材又は半透明部材の材質から構成されている。具体的には、透明又は半透明の樹脂としては、ポリプロピレン、ポリエチレン、環状ポリオレフィン、ポリ（１−メチル−４−ペンテン）などのポリオレフィン系樹脂、ポリカーボネート、ポリスチレン、ポリエチレンテレフタレート、ポリエチレンナフタレートやポリブチレンテレフタレート、並びに、フッ素樹脂、フッ化ビニリデンなどのフッ素プラスチックなどが挙げられ、また、透明又は半透明のゴムとしては、フッ素ゴムやシリコーンゴムなどが挙げられる。本実施形態では、ポリプロピレンから構成されている。
更に、上記樹脂、ゴム、または、ガラス製等の透明部材又は半透明部材の少なくともインキと接触する壁面にインキの表面エネルギーよりも低下させる表面処理も施しても良い。具体的には、フッ素コートやフッ素樹脂コート、又はジメチルシリコーンを骨格とするシリコーン樹脂コート処理等が挙げられる。
このインキ誘導管３０の後端部分３０ａは、後部保持体２１を貫通してインキ吸蔵体２０内部に通じると共に、前端部分３０ｂは軸筒１０の小径部１０ａ内を封塞する前部保持体２２を貫通してペン先４０の後端部分に嵌入されている。これにより、インキ誘導管３０は、軸筒１０内を封塞する後部保持体２１と前部保持体２２とにより、軸筒１０内に視認空間部１３が形成されると共に、該視認空間部１３の中心部分に保持されるものとなっている。
【００１５】
この構成により、軸筒１０の視認部１２を視認すれば視認部１２を介してインキ誘導管３０が容易に視認されることとなる。また、インキ吸蔵体２０に含浸されたインキは中継芯２５を介して効率よくインキ誘導管３０に流入し、該インキ誘導管３０を介してペン先４０に供給されることとなる。
このインキ誘導管３０の全長は、ペン先４０の種類により適宜設定されるものであり、通常、インキ誘導管の全長はインキ吸蔵体２０の毛細管力によりインキ吸蔵体２０の前端からペン先４０までの長さが規定されるのでその長さの範囲内で規定される。また、インキ誘導管３０のインキ流路断面積は、インキ誘導管３０内にインキが更に円滑にスムーズに通過させるために、８×１０−２〜８０ｍｍ２、更に好ましくは、０．５〜２０ｍｍ２とすることが望ましい。
このインキ流路断面積が８×１０−２ｍｍ２未満であると、インキ流量が少なく筆記時のインキ追従性に劣ることとなる。一方、８０ｍｍ２を越えると、インキ誘導管３０の長さを長く取れずインキ終了の検知視認がし難くなる。なお、８０ｍｍ２を越える断面積でインキ誘導管の長さを長くすれば、インキ終了の検知視認は容易になるが、この場合には、ペン先下向き筆記においてはペン先から過剰量のインキが流出することとなる。
【００１６】
また、インキ吸蔵体２０からペン先４０までのインキの供給を更に円滑に、かつ、スムーズに行うために、視認性を有するインキ誘導管３０のインキと接する面又はインキ誘導管３０の材質自体の表面張力がインキの表面張力よりも小さくすることが好ましい。なお、インキ誘導管３０のインキと接する面がインキの表面張力よりも大きい場合には、フッ素処理、シリコーン処理などを施すことにより、インキ誘導管３０のインキと接する面をインキの表面張力よりも小さくすることもできる。
更に、インキ誘導管３０の横断面形状としては、例えば、図２（ａ）〜（ｉ）に示すように、円形状〔図２（ａ）〕、若しくは、三角形状〔図２（ｂ）〕、四角形状〔図２（ｃ）〕、五角形形状〔図２（ｄ）〕、六角形状〔図２（ｅ）〕、菱形形状〔図２（ｇ）〕などの多角形状、または、楕円形状〔図２（ｆ）〕、星型形状〔図２（ｈ）〕などが挙げられ、インキ吸蔵体２０からペン先４０までのインキの供給が円滑に行われ、視認性を妨げるものでなければ、特に限定されるものではない。本実施形態のインキ誘導管３０は、横断面形状は円形形状である。
【００１７】
ペン先４０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態、例えば、マーキングペン、サインペン等に応じて各形状のものが選択されるものである。
【００１８】
上記インキ吸蔵体２０に含浸せしめるインキとしては、一般に用いられている各配合組成となる水性インキ、油性インキなどの筆記具用インキであれば、特に限定されず、サインペン用、マーキングペン用、ボールペン用、ホワイトボード用など用途に応じた水性又は油性の液状インキが挙げられる。好ましくは、インキ誘導管３０での終了サインを更に良好に検知するために、インキの表面張力を２５℃下で１８ｍＮ／ｍ以上、更に好ましくは、２０〜５０ｍＮ／ｍとすることが望ましい。なお、インキの表面張力の調整は、インキ組成に界面活性剤などを必要に応じて配合することにより、調整することができる。
更に、インキ吸蔵体２０から、中継芯２５及びインキ誘導管３０を介してペン先４０へのインキを更に円滑に、かつ、スムーズな供給をするために、好ましくは、インキの粘度係数を２５℃下で５００ｍＰａ・ｓ以下、更に好ましくは、２００ｍＰａ・ｓ以下、特に好ましくは１〜１００ｍＰａ・ｓとすることが望ましい。このインキの粘度係数が５００ｍＰａ・ｓを越えると、インキの流動性が悪くなり、十分なインキ流出量が出ないため流量不足による描線カスレや早書きできない場合が生じることがある。なお、インキの粘度係数の調整は、インキ組成に増粘剤などを必要に応じて配合することにより、調整することができる。
【００１９】
このように構成される本第１実施形態の筆記具Ａでは、図１及び図３に示すように、インキ吸蔵体２０に含浸されたインキは中継芯２５を介してインキ誘導管３０内をとおり、ペン先４０に浸透して筆記が可能となる。なお、本発明では、インキ吸蔵体２０に含浸されたインキはインキ誘導管３０に毛細管力により直接導入されるものでなく、中継芯２５を介してインキ誘導管３０に導入されるものとなるので、インキ吸蔵体２０に含浸されたインキを効率よくスムーズにインキ誘導管３０に導入されることとなる。
この第１実施形態の筆記具Ａでは、インキ吸蔵体２０に含浸されたインキは中継芯２５を介して常時インキ誘導管３０内をとおりペン先４０に供給される構造であるので、筆記によりインキ吸蔵体２０に含浸されたインキが減少して終了する場合には、インキ誘導管３０内のインキの通過が無くなることにより判るものとなる。
すなわち、本実施形態の筆記具Ａでは、インキ吸蔵体２０からのインキ終了サインを軸筒１０に形成した視認部１２を介して上記インキ誘導管３０を視認することにより検知することができるものとなる。従って、ぺン先４０でのインキのカスレがペン先４０での乾燥によるものか、または、インキの消費による本来の終了によるのかを視覚により明確に、かつ簡単に判断することができるものとなる。
【００２０】
なお、本実施形態では、尾栓５０を軸筒１０の後端部に固着されるものであるが、尾栓５０を軸筒１０の後端部に着脱自在に密閉できる機構として、インキ終了をインキ誘導管３０の視認により検知後、尾栓５０を取り外して補充インキを充填することにより再使用してもよいものである。また、この筆記具Ａが高温下等の雰囲気で使用した場合に、インキがインキ誘導管３０からペン先４０に過剰に供給され、インキがペン先４０から漏れ出すことなどを防止するために、ペン先４０の後端部分外周にインキ吸収体を設けてもよいものである。このインキ吸収体は、小径部１０ａ内のペン先４０の後端部分外周に形成される空間部１４に配置されることとなる。
更に、インキ誘導管３０内の後端部分に挿入した中継芯２５とインキ吸蔵体２０の接合している側のインキ吸蔵体２０端面が外気に対して閉じていることにより、本実施形態では、インキ誘導管３０内の後端部分に挿入した中継芯２５とインキ吸蔵体２０の接合している側のインキ吸蔵体２０端面が前部保持体２２と尾栓５０とにより外気に対して閉じているので、外気の流入がなく、インキ誘導管３０内への空気の流入を防止することができるものとなる。
更にまた、上記第１実施形態の筆記具Ａにおいて、中継芯２５が、繊維束芯、樹脂粒子多孔体及びスライバー芯の何れか一つからなり、これらの中継芯２５が連続流路を持つことによりインキ誘導管の見かけ断面積を維持したまま実質的にインキ誘導管３０を流れるインキ流路断面積をコントロールできるものである。すなわち、インキ流路断面積をコントロールすることにより、筆記具が落下するなどの衝撃を受けたときにインキ誘導管３０内のインキが管路抵抗により動き難くなりペン先４０側からのインキドロップを抑制できることとなる。更に、インキ流路断面積をコントロールすることにより、エンド検知後のインキ流出量を抑制でき過剰インキ流出による筆記不良を抑制できることとなる。
【００２１】
図４（ａ）〜（ｃ）は、上記第１実施形態の変形例である。図４（ａ）はインキ吸蔵体の毛細管力の分布をペン先側へ向かうほど大きくする形態、例えば、インキ吸蔵体２０を構成する繊維束間の隙間がペン先側へ向かうほど狭くなる構造、すなわち、粗密部２０ｂと細密部２０ｃとにより構成したものである。
図４（ｂ）は、軸筒１０の内径がペン先側へ向かうほど狭くなる構造（先細形状）したものであり、インキ吸蔵体２０もペン先側へ向かうほど狭くなる構造である。また、中継芯２５の幅（直径）は、インキ誘導管３０の内径と略同径にしたものである。
図４（ｃ）は、インキ吸蔵体２０を収容する軸筒１０の内壁部内側にリブ体１５，１５……を複数軸方向に形成した構造である。
このような図４（ａ）〜（ｃ）の各構成又はこれらの組合わせを更に上記第１実施形態の筆記具Ａに採用することにより、インキ吸蔵体２０に含浸されたインキは中継芯２５を介して更にインキ誘導管３０内に良好に流入し、ペン先４０に良好に供給されることとなる。
【００２２】
図５（ａ）及び（ｂ）は、本発明の第２実施形態を示すものである。本第２実施形態の筆記具Ｂは、中継芯２５より視認性を有するインキ誘導管３０に供給されたインキは、更にインキ誘導管３０の前端部分３０ｂに挿入されるペン先中継芯２８を介してペン先４０に供給される構造となる点でのみ、上記第１実施形態の筆記具Ａと異なるものである。なお、図５（ａ）及び（ｂ）において、上記第１実施形態と同様の構成は同一符号を付けてその説明を省略する。
本第２実施形態の筆記具Ｂでは、上記第１実施形態と同様に、インキ吸蔵体２０に含浸されたインキは中継芯２５を介してインキ誘導管３０内をとおりペン先中継芯２８を介してペン先４０に円滑に供給されて筆記が可能となる。また、この筆記具Ｂでは、インキ吸蔵体２０のインキ終了サインを軸筒１０に形成した視認部１２を介して上記インキ誘導管３０を視認することにより検知することができることとなる。
なお、上記実施形態において、ペン先中継芯２８を独立に設けたが、ペン先４０とペン先中継芯２８とを一体にしたもの、すなわち、ペン先４０の後端部分がペン先中継芯２８となる一体構造であってもよいものである。
更に、上記第２実施形態の筆記具Ｂに、図４（ａ）〜（ｃ）に示す変形例を適用してもよいものである（以下の実施形態においても同様）。
【００２３】
図６（ａ）及び（ｂ）は、本発明の第３実施形態を示すものである。本第３実施形態の筆記具Ｃは、視認性を有するインキ誘導管３１，３２を複数本、本実施形態では長さの相違する透明部材又は半透明部材から構成された視認性を有するインキ誘導管３１，３２を２本設けた点、及びインキ吸蔵体２０に含浸されたインキは長さが異なる各中継芯２５ｂ，２５ｃを介して視認性を有するインキ誘導管３１、３２へ供給される点、中継芯２５ｂ，２５ｃの幅（直径）は、インキ誘導管３１，３２の各内径と略同径にした点でのみ、上記第１実施形態の筆記具Ａと異なるものである。なお、図６（ａ）及び（ｂ）において、上記第１実施形態と同様の構成は同一符号を付けてその説明を省略する。
本第３実施形態の筆記具Ｃでは、全長が長いインキ誘導管３１及び短いインキ誘導管３２は、図６（ｂ）に示すように、共に後端部分３１ａ，３２ａは、後部保持体２１を貫通してインキ吸蔵体２０内部に長さの差Ｘ１をもって嵌入されると共に、前端部分３１ｂ，３２ｂは軸筒１０の小径部１０ａ内を封塞する前部保持体２２を貫通してペン先４０の後端部分に夫々端部を揃えて嵌入されている。これにより、インキ誘導管３１，３２は、該視認空間部１３の中心部分に保持されるものとなっている。
【００２４】
この本第３実施形態の筆記具Ｃでは、上記第１実施形態と同様に、インキ吸蔵体２０に含浸されたインキは夫々中継芯２５ｂ，２５ｃを介してインキ誘導管３１、３２内をとおりペン先４０に供給されて筆記が可能となる。また、この筆記具Ｂでは、インキ誘導管の各端部３１ａ，３２ａはＸ１の長さの差、及びの中継芯２５ｂ、ｃの各端部はＸ２の長さの差をもってインキ吸蔵体２０に刺し込まれているので、インキ吸蔵体２０のインキの含浸率が最大から次第に筆記により消費されると、長いインキ誘導管３１のインキが中継芯２５ｂを介しても流れずに切れてインキ吸蔵体２０にはインキが、例えば、８０％程度残っていることを視認部１２を介して検知させ、次いで、更なる筆記によりインキが消費されて、短いインキ誘導管３２のインキが中継芯２５ｃを介して流れずに切れた場合、すなわち、インキ吸蔵体２０にはインキが終了したことを視認部１２を介して検知することができることとなる。
従って、本第３実施形態の筆記具Ｃでは、インキ誘導管の各端部３１ａ，３２ａはＸ１の長さの差、及び各中継芯２５ｂ、ｃの各端部はＸ２の長さの差をもって配置することにより、インキ吸蔵体２０のインキ残量及び終了サインを軸筒１０に形成した視認部１２を介して上記インキ誘導管３１，３２を視認することにより検知することができることとなる。
【００２５】
なお、上記第３実施形態では、インキ誘導管３１，３２の長さを相違したものを用いたが、同じ長さのインキ誘導管であって、かつ中継芯２５ｂ，２５ｃの長さを相違したものでも、上記と同様にインキ残量及び終了サインを検知することができるものとなる。
また、上記第２実施形態では、インキ誘導管の数を２本としたが、筆記具の用途などにより、適宜、インキ誘導管の長さが異なるもの又は同じものを３本以上設けてもよいものである。
更に、上記第２実施形態の筆記具Ｂに、図４（ａ）〜（ｃ）に示す変形例を適用してもよいものである（以下の実施形態においても同様）。
【００２６】
図７（ａ）〜（ｃ）は、本発明の第４実施形態を示すものである。本第４実施形態の筆記具Ｄでは、視認性を有するインキ誘導管３５の中にインキ吸蔵体２０に含浸されたインキよりも表面張力が小さくインキと色の違う繊維束又は樹脂粒子多孔体、例えば、四フッ化ポリエチレンなどからなる繊維束又は樹脂粒子多孔体３６〔図７（ｂ）〕又はフッ化ビニリデンなどからなる繊維束又は樹脂粒子多孔体３７〔図７（ｃ）〕をインキ誘導管３５に充填して、インキ誘導管３５の見かけ断面積を維持したまま実質的にインキ誘導管を流れるインキ流路断面積とインキの流動抵抗をコントロールされている点でのみ、上記第１実施形態の筆記具Ａと異なるものである。なお、繊維束又は樹脂粒子多孔体３６又は３７の長さは、中継芯２５の挿入部がインキ誘導管３５の後端部分に挿入されるので、インキ誘導管３０の長さよりも短くなっている。また、図７（ａ）及び（ｂ）において、上記第１実施形態と同様の構成は同一符号を付けてその説明を省略する。
なお、用いる上記繊維束又は樹脂粒子多孔体は、その材料自身の表面エネルギーがインキよりも低いものを用いるか、または、表面処理を施すことによりインキよりも表面エネルギーを下げたものを用いることが必要である。
本第４実施形態の繊維束又は樹脂粒子多孔体３６又は３７の色相は、インキ吸蔵体２０に含浸されたインキの色と異なること、好ましくは、用いるインキ色で隠蔽される色となるものが望ましい。例えば、インキが黒色の場合は白色、インキが赤色の場合は青色、インキが黄色の場合は黒色が挙げられるが、透明又は半透明でも良く、必ずしも着色する必要はない。
【００２７】
本第４実施形態の筆記具Ｄでは、インキ吸蔵体２０に含浸されたインキは中継芯２５ｄを介して棒状等の繊維束又は樹脂粒子多孔体３６又は３７がインキ誘導管３５の内壁と接することなく挿入された視認性を有するインキ誘導管３５をとおりペン先４０に供給されて筆記が可能となる。この筆記具Ｄでは、インキよりも表面張力が小さく、かつ、インキと色の違う繊維束又は樹脂粒子多孔体３６又は３７をインキ誘導管３５の内部にインキ誘導管３５の内壁と接することなく具備させることにより、インキ誘導管３５を流れるインキ流路断面積を減らし、インキ誘導管の見かけ断面積をそのままに実質的に断面積を減らすことができるので、インキ誘導管３５内を流れるインキ容量も減らすことができるので、インキ終了の検知機能とインキ終了時のインキ流出過剰の問題を同時に解決できることとなる。
また、本第４実施形態の筆記具Ｄでは、上述の第１〜第３実施形態の筆記具におけるインキの終了サインをインキ誘導管におけるインキ切れの視認により検知したものと相違し、インキが終了（インキ切れ）した場合に、インキ誘導管３５にはインキ色と異なる繊維束又は樹脂粒子多孔体３６又は３７の色相で視認することができるので、インキの終了サインをより明確に視覚に訴えることができるものとなる。
【００２８】
図８は、本発明の第５実施形態を示すものである。本第５実施形態の筆記具Ｅは、ペン先４０がアンダーライン用となっている点、ペン先を保持する先軸４１が別部材からなり軸筒１０の先端に固着されている点、後部保持体２１及び前部保持体２２を省略した点、前部保持体２２の代わりに保持段部２３を周状に設けた点、中継芯２５ｅの形状、大きさが異なる点で、上記第１実施形態の筆記具Ａと異なるものであり、筆記具Ａと同様に、インキの供給、インキ終了サインを視認部１２を介してインキ誘導管３０を視認することにより検知されるものである。
【００２９】
図９は、本発明の第６実施形態を示すものである。本第６実施形態の筆記具Ｆは、ペン先４０がインキ誘導芯を備えたボールペン用となっている点、ペン先を保持する先軸４２が別部材からなり軸筒１０の先端に固着されている点、前部保持体２２を省略した点、中継芯２５ｆの形状、大きさが異なる点で、上記第１実施形態の筆記具Ａと異なるものであり、筆記具Ａと同様に、インキの供給、インキ終了サインを視認部１２を介してインキ誘導管３０を視認することにより検知されるものである。
【００３０】
図１０は、本発明の第７実施形態を示すものであり、軸筒１０内のインキ吸蔵体２０に含浸されたインキを軸筒１０の両側に設けた筆記部となるアンダーライン用のペン先４０、並びに、サインペン用のペン先４５に供給するツインタイプの筆記具Ｇである。
インキ吸蔵体２０からのインキの供給は、ペン先４０側では図８の第５実施形態と同様に、インキ吸蔵体２０からのインキが中継芯２５ｅ、視認性を有するインキ誘導管３０を介してスムーズに効率よく供給されるものであり、ペン先４５側ではペン先４５の後端部分がインキ吸蔵体２０内に嵌入し接触することによりインキ吸蔵体２０からのインキが直接供給されるものとなっている。なお、図示符号４６は、軸筒１０に一体に形成される先軸部である。
このツインタイプの筆記具Ｇでは、インキの消費は各ペン先４０、４５で行われ、第５実施形態と同様に、インキ吸蔵体２０のインキ終了サインを視認部１２を介してインキ誘導管３０を視認することにより検知するものである。
なお、上記実施形態と逆に、視認部１２、インキ誘導管３０等をペン先４０側に設けたが、ペン先４５側に視認部１２、インキ誘導管３０等を設け、ペン先４０の後端部分をインキ吸蔵体２０内に嵌入し接触させることによりインキ吸蔵体２０からのインキを直接供給しても良いものである。
【００３１】
本発明の筆記具は、上記各実施形態に限定されるものでなく、本発明の要旨を変更しない範囲で種々の形態に変更できることはいうまでもない。
例えば、上記第１実施形態（図４の変形例を含む）〜第７実施形態の各実施形態を好適に組合わせること、例えば、第３又は第４実施形態を第５実施形態、第６実施形態、第７実施形態の筆記具に適用してもよく、また、第３実施形態から第７実施形態の各筆記具Ｃ〜Ｇにおいて、インキ誘導管３０内のインキを効率よくペン先４０に供給するペン先中継芯を独立に又はペン先と一体に更に追加してもよいものである。
また、本発明の筆記具は、インキ吸蔵体２０に含浸されたインキが中継芯２５及び視認性を有するインキ誘導管３０を介してペン先に供給されると共に、インキ吸蔵体２０からのインキ終了サインを軸筒１０に形成した視認部１２を介して上記インキ誘導管３０を視認することにより検知できる構造を要旨とするので、この要旨を変更しない構成は特に限定されるものではなく、各種公知の筆記具構造が採用でき、また、ペン先、インキ種をボールペン、サインペン、マーキングペン、筆ペンなどの用途などによって変更して好適に各種用途の筆記具に適用することができるものである。
更に、筆記具用インキを修正液、塗布液、化粧品等の液状化粧料等とした塗布具にも適用してもよいものである。
【００３２】
【実施例】
次に、本発明を具体的な実施例に基づき更に詳細に説明するが、本発明は下記実施例に限定されるものではない。なお、インキ等の表面張力の測定は、ウィルヘルミー法（協和界面科学社製、ＣＢＶＰ−Ｚ型）により測定し、インキの粘度係数は、回転粘度計（トキメック社製、ＴＶ−２０Ｌ）により測定した。
【００３３】
〔実施例１、サインペン〕
下記構成の軸筒、インキ吸蔵体、インキ誘導管、中継芯、ペン先、インキ組成を用いた図１及び図３に準拠するサインペンを作製した。
▲１▼軸筒
ポリプロピレン製、大径部の直径１０ｍｍ、視認部の長さ１５ｍｍ（視認部以外は着色層により非視認部となる）、全長１２０ｍｍ
▲２▼インキ吸蔵体
ポリエチレンテレフタレート製の中綿から構成（気孔率８０％）、直径９ｍｍ、長さ６０ｍｍ
▲３▼インキ誘導管
ＰＦＡ（テトラフルオロエチレン−パ−フルオロアルキルビニルエーテルコポリマー）製、内径３ｍｍ、長さ２０ｍｍ、インキ流路断面積約７ｍｍ２、インキ誘導管の材質自体の表面張力（２５℃）２０ｍＮ／ｍ、後端部分がインキ吸蔵体２０に嵌入する長さ３ｍｍ
▲４▼中継芯
アクリル製のスライバーから構成（気孔率５５％）、直径約３ｍｍ、長さ２０ｍｍ、挿入部形状：円柱状、鋭角部形状：円錐状
▲５▼ペン先
アクリル繊維のスライバー芯から構成（気孔率５０％）、長さ１５ｍｍ
▲６▼インキ組成（全量１００重量％）
水溶性染料（Ｃ．Ｉ．Ｄｉｒｅｃｔ　Ｂｌａｃｋ−１５４）　　　　　　　　　　　４．５
水溶性染料（Ｃ．Ｉ．Ｄｉｒｅｃｔ　Ｂｌａｃｋ−１９）　　　　　　　　　　　　１．５
エチレングリコール　　　　　　　　　　　　　　　　　　１０．０
グリセリン　　　　　　　　　　　　　　　　　　　　　　１０．０
ｐＨ調整剤　　　　　　　　　　　　　　　　　　　　　　　０．３
防腐剤（プロキセルＧＸＬ）　　　　　　　　　　　　　　　０．５
固着性樹脂（スチレンアクリル酸樹脂、アンモニア中和）　　３．０
界面活性剤（インゲンＰ、第一製薬工業社製）　　　　　　　０．２
精製水　　　　　　　　　　　　　　　　　　　　　　　　　残部
インキの表面張力（２５℃）３７ｍＮ／ｍ、インキの粘度係数（２５℃）８ｍＰａ・ｓ、インキ吸蔵体への含浸量２．５ｇ
【００３４】
上記構成により得られたサインペンは、組立後、インキがインキ誘導管３０を通過することが視認部１２を介して視認することができ、次いで、ペン先４０に浸透していきサインペンとしてインキ流出量も直液式筆記具のようにインキ終了までほぼ一定で、良好な描線を描くことができることが判った。
インキ吸蔵体２０に含浸したインキが終了するまで筆記を続けたところ、インキ誘導管３０にインキがなくなっていること、すなわち、インキ吸蔵体２０からのインキ終了サインを軸筒１０に形成した視認部１２を介して上記インキ誘導管３０を視認することにより簡単に、確実に検知することができた。
更に、インキ誘導管３０で終了を検知した後、急激にインキの流出量が減衰して筆記できなくなった。
【００３５】
〔実施例２、サインペン〕
下記構成の軸筒、インキ吸蔵体、インキ誘導管、中継芯、ペン先中継芯、ペン先、インキ組成を用いた図５に準拠するサインペンを作製した。
▲１▼軸筒
ポリプロピレン製、大径部の直径１０ｍｍ、視認部の長さ１５ｍｍ（視認部以外は着色層により非視認部となる）、全長１２０ｍｍ
▲２▼インキ吸蔵体
ポリエチレンテレフタレート製の中綿から構成（気孔率８０％）、直径９ｍｍ、長さ６０ｍｍ
▲３▼インキ誘導管
ポリプロピレン製、内径３ｍｍ、長さ２０ｍｍ、インキ流路断面積約７ｍｍ２、インキ誘導管の材質自体の表面張力（２５℃）３１ｍＮ／ｍ、後端部分がインキ吸蔵体２０に嵌入する長さ３ｍｍ
▲４▼中継芯
アクリル製のスライバーから構成（気孔率５５％）、直径約３ｍｍ、長さ３０ｍｍ、挿入部形状：円柱状、鋭角部形状：円錐状
▲５▼ペン先中継芯
アクリル製のスライバーから構成（気孔率５０％）、直径約３ｍｍ、長さ８ｍｍ、挿入部形状：円柱状、鋭角部形状：円錐状
長さ１５ｍｍ
▲６▼ペン先
ポリエチレンテレフタレート繊維のスライバー芯から構成（気孔率５０％）、長さ１５ｍｍ
▲７▼インキ組成（全量１００重量％）
水溶性染料（Ｃ．Ｉ．Ｄｉｒｅｃｔ　Ｂｌａｃｋ−１５４）　　　　　　　　　　　５．０
チオジエタノール　　　　　　　　　　　　　　　　　　　１０．０
グリセリン　　　　　　　　　　　　　　　　　　　　　　　５．０
尿素　　　　　　　　　　　　　　　　　　　　　　　　　　４．０
界面活性剤（ドバノックス２５Ｎ、ライオン社製）　　　　　０．０５
精製水　　　　　　　　　　　　　　　　　　　　　　　　　残部
インキの表面張力（２５℃）５５ｍＮ／ｍ、インキの粘度係数（２５℃）２ｍＰａ・ｓ、インキ吸蔵体への含浸量２．５ｇ
【００３６】
上記構成により得られたサインペンは、組立後、インキがインキ誘導管３０を通過することが視認部１２を介して視認することができ、次いで、ペン先中継芯２８を介してペン先４０に浸透していきサインペンとしてインキ流出量も直液式筆記具のようにインキ終了までほぼ一定で、良好な描線を描くことができることが判った。
インキ吸蔵体２０に含浸したインキが終了するまで筆記を続けたところ、インキ誘導管３０にインキがなくなっていること、すなわち、インキ吸蔵体２０からのインキ終了サインを軸筒１０に形成した視認部１２を介して上記インキ誘導管３０を視認することにより簡単に、確実に検知することができた。
更に、インキ誘導管３０で終了を検知した後、急激にインキの流出量が減衰して筆記できなくなった。
【００３７】
〔実施例３、サインペン〕
下記構成の軸筒、インキ吸蔵体、インキ誘導管、中継芯、ペン先、インキ組成を用いた図６に準拠するサインペンを作製した。
▲１▼軸筒
ポリプロピレン製、大径部の直径１０ｍｍ、視認部の長さ１５ｍｍ（視認部以外は着色層により非視認部となる）、全長１２０ｍｍ
▲２▼インキ吸蔵体
ポリエチレンテレフタレート製の中綿から構成（気孔率８０％）、直径９ｍｍ、長さ６０ｍｍ
▲３▼インキ誘導管
ｉ）長いインキ誘導管：　ポリプロピレン製、内径３ｍｍ、長さ３５ｍｍ、インキ流路断面積約７ｍｍ２、インキ誘導管の材質自体の表面張力（２５℃）３１ｍＮ／ｍ、後端部分がインキ吸蔵体２０に嵌入する長さ１５ｍｍ
ｉｉ）短いインキ誘導管：　ポリプロピレン製、内径３ｍｍ、長さ２５ｍｍ、インキ流路断面積約７ｍｍ２、インキ誘導管の材質自体の表面張力（２５℃）３１ｍＮ／ｍ、後端部分がインキ吸蔵体２０に嵌入する長さ５ｍｍ
▲４▼中継芯
ｉ）長い中継芯：　ポリエチレンテレフタレート製のスライバーから構成（気孔率５５％）、直径３ｍｍ、長さ２０ｍｍ、形状：円柱状
ｉｉ）　短い中継芯：　ポリエチレンテレフタレート製のスライバーから構成（気孔率５５％）、直径３ｍｍ、長さ１０ｍｍ、形状：円柱状
ｉｉｉ）Ｘ１：１０ｍｍ、Ｘ２：１５ｍｍ
▲５▼ペン先
アクリル繊維のスライバー芯から構成（気孔率５０％）、長さ１５ｍｍ
▲６▼インキ組成（全量１００重量％）
カーボンブラック　　　　　　　　　　　　　　　　　　　　６．０
チオジエタノール　　　　　　　　　　　　　　　　　　　１５．０
グリセリン　　　　　　　　　　　　　　　　　　　　　　　５．０
尿素　　　　　　　　　　　　　　　　　　　　　　　　　　５．０
界面活性剤（Ｐｌｕｒｏｎｉｃ　ＰＥ３１００　、ＢＡＳＦ社製）　　　　　　０．０３
精製水　　　　　　　　　　　　　　　　　　　　　　　　　残部
インキの表面張力（２５℃）５４ｍＮ／ｍ、インキの粘度係数（２５℃）２．５ｍＰａ・ｓ、インキ吸蔵体への含浸量２．５ｇ
【００３８】
上記構成により得られたサインペンは、組立後、インキがインキ誘導管３１，３２を通過することが視認部１２を介して視認することができ、次いで、ペン先４０に浸透していきサインペンとして良好な描線を描くことができることが判った。
インキ吸蔵体２０に含浸したインキが終了するまで筆記を続けたところ、始めにインキ誘導管３１にインキがなくなっていること、すなわち、インキ吸蔵体２０からのインキの残量サイン（本実施例では７０％）を軸筒１０に形成した視認部１２を介して上記インキ誘導管３０を視認することにより簡単に、確実に残量の検知をすることができ、更に筆記を続けたところ、インキ誘導管３２にインキがなくなっていること、すなわち、インキ吸蔵体２０からのインキの終了サインを軸筒１０に形成した視認部１２を介して上記インキ誘導管３２を視認することにより簡単に、確実に検知できることが判った。その他は、実施例１と同様の評価が得られた。
【００３９】
〔実施例４、サインペン〕
下記構成の軸筒、インキ吸蔵体、インキ誘導管、中継芯、ペン先、棒状体、造インキ組成を用いた図７に準拠するサインペンを作製した。
▲１▼軸筒
ポリプロピレン製、大径部の直径１０ｍｍ、視認部の長さ１５ｍｍ（視認部以外は着色層により非視認部となる）、全長１２０ｍｍ
▲２▼インキ吸蔵体
ポリエチレンテレフタレート製の中綿から構成（気孔率８０％）、直径８ｍｍ、長さ６０ｍｍ
▲３▼中継芯
アクリル製のスライバーから構成（気孔率５５％）、直径約３ｍｍ、長さ３０ｍｍ、挿入部形状：円柱状、鋭角部形状：円錐状
▲４▼インキ誘導管
ＰＦＡ（テトラフルオロエチレン−パ−フルオロアルキルビニルエーテルコポリマー）製、内径３ｍｍ、長さ２０ｍｍ、インキ流路断面積約７ｍｍ２、インキ誘導管の材質自体の表面張力（２５℃）２０ｍＮ／ｍ、後端部分がインキ吸蔵体２０に嵌入する長さ３ｍｍ
▲５▼棒状体
テフロン（登録商標）製、直径１ｍｍ、長さ２５ｍｍ、白色
▲６▼ペン先
アクリル繊維のスライバー芯から構成（気孔率５０％）、長さ１５ｍｍ
▲７▼インキ組成（全量１００重量％）
カラー顔料（Ｃ．Ｉ．Ｐｉｇｍｅｎｎｔ　Ｂｌｕｅ　１５：３）　　　　　　　　　　４．０
チオジエタノール　　　　　　　　　　　　　　　　　　　　５．０
ジエチレングリコール　　　　　　　　　　　　　　　　　　５．０
イソプロピルアルコール　　　　　　　　　　　　　　　　　３．０
尿素　　　　　　　　　　　　　　　　　　　　　　　　　　３．０
界面活性剤（Ｐｌｕｒｏｎｉｃ　ＰＥ３１００　、ＢＡＳＦ社製）　　　　　　０．０３
精製水　　　　　　　　　　　　　　　　　　　　　　　　　残部
インキの表面張力（２５℃）５５ｍＮ／ｍ、インキの粘度係数（２５℃）２ｍＰａ・ｓ、インキ吸蔵体への含浸量２．５ｇ
【００４０】
上記構成により得られたサインペンは、組立後、インキがインキ誘導管３５を通過することが視認部１２を介して視認することができ、次いで、ペン先４０に浸透していきサインペンとして良好な描線を描くことができることが判った。
インキ吸蔵体２０に含浸したインキが終了するまで筆記を続けたところ、インキ誘導管３０にインキがなくなっていること、すなわち、インキ吸蔵体２０からのインキ終了サインを軸筒１０に形成した視認部１２を介して上記インキ誘導管３５に挿入された棒状体の白色を視認することにより簡単に、確実に検知することができた。その他は、実施例１と同様の評価が得られた。
【００４１】
〔実施例５、ボールペン〕
下記構成の軸筒、インキ吸蔵体、インキ誘導管、中継芯、ペン先、インキ組成を用いた図９に準拠するボールペンを作製した。
▲１▼軸筒
ポリプロピレン製、大径部の直径８ｍｍ、視認部の長さ１５ｍｍ（視認部以外は着色層により非視認部となる）、全長１２０ｍｍ
▲２▼インキ吸蔵体
ポリエチレンテレフタレート製の中綿から構成（気孔率８０％）、直径６ｍｍ、長さ６０ｍｍ
▲３▼中継芯
ポリエチレンテレフタレート製のスライバーから構成（気孔率５５％）、
直径３ｍｍ、長さ２０ｍｍ、挿入部形状：円柱状、鋭角部形状：円錐状
▲４▼インキ誘導管
ポリプロピレン製、内径３ｍｍ、長さ２０ｍｍ、インキ流路断面積約７ｍｍ２、インキ誘導管の材質自体の表面張力（２５℃）３１ｍＮ／ｍ、後端部分がインキ吸蔵体２０に嵌入する長さ３ｍｍ
▲５▼ペン先
ステンレス製、長さ１０ｍｍ、ボール径０．５ｍｍ、
▲６▼インキ組成（全量１００重量％）
水溶性染料（Ｃ．Ｉ．Ｄｉｒｅｃｔ　Ｂｌａｃｋ−１５４）　　　　　　　　　　　５．０
チオジエタノール　　　　　　　　　　　　　　　　　　　１０．０
グリセリン　　　　　　　　　　　　　　　　　　　　　　　５．０
尿素　　　　　　　　　　　　　　　　　　　　　　　　　　４．０
界面活性剤（ドバノックス２５Ｎ、ライオン社製）　　　　　０．０５
精製水　　　　　　　　　　　　　　　　　　　　　　　　　残部
インキの表面張力（２５℃）５５ｍＮ／ｍ、インキの粘度係数（２５℃）２ｍＰａ・ｓ、インキ吸蔵体への含浸量２．５ｇ
【００４２】
上記構成により得られたボールペンは、組立後、インキがインキ誘導管３０を通過することが視認部１２を介して視認することができ、次いで、ペン先４０に浸透していきサインペンとして良好な描線を描くことができることが判った。
インキ吸蔵体２０に含浸したインキが終了するまで筆記を続けたところ、インキ誘導管３０にインキがなくなっていること、すなわち、インキ吸蔵体２０からのインキ終了サインを軸筒１０に形成した視認部１２を介して上記インキ誘導管３０を視認することにより簡単に、確実に検知することができた。その他は、実施例１と同様の評価が得られた。
【００４３】
〔実施例６、サインペン〕
上記実施例１において、インキ吸蔵体及びインキ組成の２点を下記構成のインキ吸蔵体、インキ組成（油性インキ）に代えて図１及び図３に準拠するサインペンを作製した。
（インキ吸蔵体）
ポリエチレンテレフタレート製の中綿から構成（気孔率８０％）、直径９ｍｍ、長さ６０ｍｍ
〔インキ組成（全量１００重量％）〕
ｎープロピルアルコール　　　　　　　　　　　　　　　　　　　　　７５．０
ラロパールＡ−１０１（アルデヒドと尿素の縮合物、ＢＡＳＦ社製）　　　　　　７．５
Ａｌｒｅｓａｔ　ＫＭ４００（マレイン酸樹脂、Ｈｏｅｃｈｓｔ社製）　　１０．０
Ｖｉｃｔｒｉａ　Ｂｌｕｅ　ＢＳＡ（染料、Ｚｅｎｅｃａ社製）　　　　２．５
Ｒｈｏｄａｍｉｎｅ　６ＪＨＳＡ（染料、Ｚｅｎｅｃａ社製）　　　　　２．５
Ｆｌｅｘ　ＹＥＬＬＯＷ　１０５（染料、Ｚｅｎｅｃａ社製）　　　　　２．５
インキの表面張力（２５℃）約２５ｍＮ／ｍ、インキの粘度係数（２５℃）約４ｍＰａ・ｓ、インキ吸蔵体への含浸量２．５ｇ
【００４４】
上記構成により得られたサインペンは、組立後、油性インキがインキ誘導管３０を通過することが視認部１２を介して視認することができ、次いで、ペン先４０に浸透していきサインペンとしてインキ流出量も直液式筆記具のようにインキ終了までほぼ一定で、良好な描線を描くことができることが判った。
インキ吸蔵体２０に含浸した油性インキが終了するまで筆記を続けたところ、インキ誘導管３０にインキがなくなっていること、すなわち、インキ吸蔵体２０からのインキ終了サインを軸筒１０に形成した視認部１２を介して上記インキ誘導管３０を視認することにより簡単に、確実に検知することができた。
更に、インキ誘導管３０で終了を検知した後、急激にインキの流出量が減衰して筆記できなくなった。
【００４５】
【発明の効果】
本発明によれば、軸筒内のインキ吸蔵体に含浸されたインキを筆記部となるペン先に供給する筆記具であっても、簡単な構成により、インキの終了サインを視覚により簡単に、かつ、確実に検知することができると共に、インキ流出量も直液式筆記具のようにインキ終了までほぼ一定で、良好な描線を描くことができる筆記具が提供される。
また、中継芯をインキ吸蔵体全長の５％以上の長さでインキ吸蔵体内部と接触せしめることにより、インキ吸蔵体に含浸されたインキを更に効率よく、スムーズにインキ誘導管に導入せしめることができる筆記具が提供される。
【図面の簡単な説明】
【図１】（ａ）は、本発明の第１実施形態を示す筆記具の縦断面図であり、（ｂ）はその要部、すなわち、インキ誘導管、中継芯、インキ含浸体の接合状態を示す部分縦断面図である。
【図２】（ａ）〜（ｈ）はインキ誘導管３０の各形態となる横断面図である。
【図３】本発明の第１実施形態を示す筆記具の部分縦断面図である。
【図４】（ａ）はインキ吸蔵体２０の変形例を示す部分縦断面図であり、（ｂ）は軸筒１０及びインキ吸蔵体２０の変形例を示す部分縦断面図であり、（ｃ）は、軸筒１０の変形例を示す部分縦断面図である。
【図５】（ａ）は本発明の第２実施形態を示す筆記具の部分縦断面図であり、（ｂ）はその要部を示す部分縦断面図である。
【図６】（ａ）は本発明の第３実施形態を示す筆記具の部分縦断面図であり、（ｂ）はその要部を示す部分縦断面図である。
【図７】（ａ）は本発明の第４実施形態を示す筆記具の部分縦断面図であり、（ｂ）はそのインキ誘導管を示す斜視図であり、（ｃ）は別の実施形態を示すインキ誘導管を示す斜視図である。
【図８】本発明の第５実施形態を示す筆記具の部分縦断面図である。
【図９】本発明の第６実施形態を示す筆記具の部分縦断面図である。
【図１０】本発明の第７実施形態を示す筆記具の部分縦断面図である。
【符号の説明】
Ａ　筆記具
１０　軸筒
１２　視認部
２０　インキ吸蔵体
２５　中継芯
３０　視認性を有するインキ誘導管
４０　ペン先
【図１】
2004042263.tif 000003
【図２】
2004042263.tif 000004
【図３】
2004042263.tif 000005
【図４】
2004042263.tif 000006
【図５】
2004042263.tif 000007
【図６】
2004042263.tif 000008
【図７】
2004042263.tif 000009
【図８】
2004042263.tif 000010
【図９】
2004042263.tif 000011
【図１０】
2004042263.tif 000012
【手続補正書】
【提出日】平成15年8月19日(2003.8.19)
【手続補正１】
【補正対象書類名】明細書
【補正対象項目名】０００１
【補正方法】変更
【補正の内容】
【０００１】
【発明の属する技術分野】
本発明は、軸筒の両側に筆記部となるペン先を備えると共に、軸筒内のインキ吸蔵体に含浸されたインキをペン先に供給するタイプの筆記具に関し、更に詳しくは、この構造の筆記具においてインキの終了サインを簡単に検知することができる筆記具に関する。